(57)【要約】【課題】製造コストを低減できるとともに、比較的簡単に作製することができる鍵盤楽器の譜面台装置を提供する。【解決手段】互いに回動自在に連結されるとともに、オルガン本体３の演奏部２を協働して開閉する前鍵盤蓋１１および後鍵盤蓋１２を有し、前鍵盤蓋１１は、オルガン本体３に回動自在に取り付けられており、後方に回動することにより、起立した状態で開放し、後鍵盤蓋１２は、前鍵盤蓋１１の後方への回動に伴い、前鍵盤蓋１１に対して回動しながら後方に移動することにより、開放するように構成された鍵盤楽器の譜面台装置であって、起立した状態で開放した前鍵盤蓋１１により構成され、譜面Ｆを立て掛けるための譜面立て１１と、オルガン本体３の演奏部２と開放した前鍵盤蓋１１との間に形成され、譜面Ｆを載置するための譜面受け９ｂと、を備えている。【選択図】　　図２
2004037843.tif 000002
【特許請求の範囲】
【請求項１】
互いに回動自在に連結されるとともに、楽器本体の演奏部を協働して開閉する前鍵盤蓋および後鍵盤蓋を有し、当該前鍵盤蓋は、前記楽器本体に回動自在に取り付けられており、後方に回動することにより、起立した状態で開放し、前記後鍵盤蓋は、前記前鍵盤蓋の後方への回動に伴い、前記前鍵盤蓋に対して回動しながら後方に移動することにより、開放するように構成された鍵盤楽器の譜面台装置であって、
前記起立した状態で開放した前記前鍵盤蓋により構成され、譜面を立て掛けるための譜面立てと、
前記楽器本体の前記演奏部と前記開放した前記前鍵盤蓋との間に形成され、譜面を載置するための譜面受けと、
を備えていることを特徴とする鍵盤楽器の譜面台装置。
【請求項２】
前記譜面受けは、
前後方向に延び、譜面を載置する載置部と、
この載置部の前端から上方に突出し、譜面の下端部を係止する係止部と、
を有することを特徴とする請求項１に記載の鍵盤楽器の譜面台装置。
【発明の詳細な説明】
【０００１】
【発明の属する技術分野】
本発明は、例えば電子オルガンなど、鍵盤蓋を有する鍵盤楽器に適用され、鍵盤蓋を譜面立てとして利用する鍵盤楽器の譜面台装置に関する。
【０００２】
【従来の技術】
図３（ａ）は、従来の譜面台装置を適用した鍵盤楽器（電子オルガン）の上部を示す側断面図である。同図に示すように、この鍵盤楽器２１は、演奏部２２を有する楽器本体２３と、これに回動自在に取り付けられ、演奏部２２を開閉する鍵盤蓋２４とを備えている。楽器本体２３は、互いに左右方向に所定間隔を隔て、前後方向（図３の左右方向）に延びる腕木２５、２５（図３では１つのみ図示）を有しており、これらの腕木２５、２５間に演奏部２２が設けられている。演奏部２２は、図示しない鍵盤と、その後方に設けられた操作パネル２６とを有している。この操作パネル２６は、多数の各種スイッチ２７（図３では１つのみ図示）を有しており、これらのスイッチ２７が、楽器本体２３の上部の外殻を構成する楽器本体上部ケース２８上に、上方に若干突出するように配置されている。この楽器本体上部ケース２８は、腕木２５、２５間で左右方向に延びており、スイッチ２７を支持する斜め後ろ上がりのスイッチ支持部２８ａと、このスイッチ支持部２８ａの上端から斜め後ろ下がりに形成され、鍵盤蓋２４の開閉時に、その後端部を下方から支持しながら、鍵盤蓋２４を案内する蓋案内部２８ｂとにより、側断面が山形に形成されている。
【０００３】
また、鍵盤蓋２４は、ヒンジ３０を介して互いに回動自在に連結された前鍵盤蓋３１および後鍵盤蓋３２を有している。前鍵盤蓋３１のヒンジ３０側の左右両端部はそれぞれ、左右一対のアーム３３、３３（図３では１つのみ図示）に連結されており、これにより、前鍵盤蓋３１が回動軸３３ａを中心に回動できるようになっている。一方、後鍵盤蓋３２のヒンジ３０側の縁部には、譜面受け３４が取り付けられている。この譜面受け３４は、左右方向に所定長さ延びており、図３（ａ）に示すように、後鍵盤蓋３２の裏面に固定された固定部３４ａと、この固定部３４ａから連なり、後鍵盤蓋３２に対し、所定角度で斜め前下がりに所定長さ延びる本体部３４ｂとで構成されている。
【０００４】
このように構成された鍵盤楽器２１では、図３（ａ）に示すように、前鍵盤蓋３１および後鍵盤蓋３２がほぼ一直線に前下がりに傾斜した状態で、楽器本体２３の演奏部２２を覆うように閉鎖する。そしてこの場合、譜面受け３４の先端部は、操作パネル２６のスイッチ２７の上部付近に位置している。この閉鎖状態から、前鍵盤蓋３１を後方に回動させると、これに伴い、後鍵盤蓋３２が、楽器本体上部ケース２８の上端部および蓋案内部２８ｂに摺接しながら後方に移動する。そして、図３（ｂ）に示すように、アーム３３、３３がそれぞれ、アームストッパ３５、３５（図３では１つのみ図示）に当接すると、前鍵盤蓋３１は、楽器本体上部ケース２８の蓋案内部２８ｂの上方で、後方に若干倒れた状態で起立する一方、後鍵盤蓋３２は、蓋案内部２８ｂの後方で、斜め後ろ下がりに傾斜した状態となる。これにより、楽器本体２３の演奏部２２が開放される。
【０００５】
またこの場合、譜面受け３４は、左右のアーム３３、３３間に掛け渡すように設けられた譜面受けストッパ３６や、楽器本体上部ケース２８の上端部に下方から支持されることで、ほぼ水平にかつしっかりと保持されるようになっている。このように、鍵盤蓋２４が開放した状態では、前鍵盤蓋３１が譜面立てとして利用可能になるとともに、譜面受け３４がほぼ水平な姿勢になる。そして、これら前鍵盤蓋３１および譜面受け３４による譜面台装置に、図３（ｂ）に示すように、譜面Ｆをセットすること、すなわち、譜面Ｆを譜面受け３４に載置した状態で、前鍵盤蓋３１に立て掛けることが可能となる。
【０００６】
【発明が解決しようとする課題】
上記のような譜面受け３４を有する鍵盤楽器２１では、次のような問題が生じる。すなわち、鍵盤蓋２４が閉鎖状態であるときに、図４の２点鎖線で示すように、後鍵盤蓋３２の後端部が、誤ってあるいはいたずらなどで持ち上げられると、その後鍵盤蓋３２がヒンジ３０を中心に反時計方向に回動し、これに伴い、後鍵盤蓋３２に固定されている譜面受け３４も同方向に回動することで、その先端が操作パネル２６のスイッチ２７に上方から干渉することがある。そのような場合には、スイッチ２７および譜面受け３４が損傷してしまうおそれがある。もちろん、鍵盤蓋２４が閉鎖状態であるときに、後鍵盤蓋３２のみが回動するのを防止するために、図４の２点鎖線で示すような回動防止機構３７を設けることも可能である。しかし、そのような回動防止機構３７を鍵盤楽器２１に設けると、その分、鍵盤楽器２１の製造コストが高くなってしまう。
【０００７】
本発明は、以上のような課題を解決するためになされたものであり、製造コストを低減できるとともに、比較的簡単に作製することができる鍵盤楽器の譜面台装置を提供することを目的とする。
【０００８】
【課題を解決するための手段】
本発明に係る鍵盤楽器の譜面台装置は、互いに回動自在に連結されるとともに、楽器本体の演奏部を協働して開閉する前鍵盤蓋および後鍵盤蓋を有し、前鍵盤蓋は、楽器本体に回動自在に取り付けられており、後方に回動することにより、起立した状態で開放し、後鍵盤蓋は、前鍵盤蓋の後方への回動に伴い、前鍵盤蓋に対して回動しながら後方に移動することにより、開放するように構成された鍵盤楽器の譜面台装置であって、起立した状態で開放した前鍵盤蓋により構成され、譜面を立て掛けるための譜面立てと、楽器本体の演奏部と開放した前鍵盤蓋との間に形成され、譜面を載置するための譜面受けと、を備えていることを特徴とする。
【０００９】
この構成によれば、前鍵盤蓋および後鍵盤蓋で楽器本体の演奏部を閉鎖した状態から、前鍵盤蓋を後方に回動させると、この前鍵盤蓋は、演奏部を起立した状態で開放し、これに伴い、後鍵盤蓋は、前鍵盤蓋に対して回動しながら後方に移動することで、演奏部を開放する。このように、前鍵盤蓋が開放したときには、この前鍵盤蓋が譜面立てとして機能する一方、楽器本体の演奏部と開放した前鍵盤蓋との間に譜面受けが形成されるので、これら譜面立ておよび譜面受けで構成される譜面台装置に、譜面をセットすることが可能となる。したがって、上記構成の譜面台装置によれば、楽器本体に直接、譜面受けを形成しているので、従来と異なり、鍵盤蓋に譜面受けを取り付ける必要がなく、その分、製造コストを低減できるとともに、譜面台装置を比較的簡単に作製することができる。
【００１０】
またこの場合、譜面受けは、前後方向に延び、譜面を載置する載置部と、この載置部の前端から上方に突出し、譜面の下端部を係止する係止部と、を有することが好ましい。
【００１１】
この構成によれば、譜面を譜面受けに載置する場合、その譜面を載置部に載置するとともに、譜面の下端部を係止部で係止することにより、譜面の下端部が前方に滑ることによる譜面の倒れを確実に防止でき、その結果、譜面を譜面受けに安定して載置することができる。
【００１２】
【発明の実施の形態】
以下、図面を参照しながら、本発明の好ましい実施形態を詳細に説明する。図１は、本発明の一実施形態による譜面台装置を適用した電子オルガンを示している。同図に示すように、この電子オルガン１は、上部に演奏部２を有するオルガン本体３と、このオルガン本体３の上部に回動自在に取り付けられ、演奏部２を開閉する鍵盤蓋４とを備えている。オルガン本体３は、互いに左右方向に所定間隔を隔てて設けられ、前後方向に延びる左右一対の腕木５、５を有しており、これらの腕木５、５間に演奏部２が設けられている。
【００１３】
演奏部２は、上下２段の鍵盤６（上鍵盤６ａおよび下鍵盤６ｂ）と、上鍵盤６ａの後方に斜め後ろ上がりの状態で設けられた操作パネル７とを有している。下鍵盤６ｂは、オルガン本体３の前端部に配置される一方、上鍵盤６ａは、下鍵盤６ｂの後方斜め上に配置されている。また、操作パネル７は、多数の各種スイッチ８ａや液晶ディスプレイ８ｂなどを有しており、これらが、オルガン本体３の上部の外殻を構成するオルガン本体上部ケース９上に配置されている。なお、これらのスイッチ８ａが、演奏時に操作されることにより、図示しない音響装置から発生する音の音色やリズムなどが調整される。
【００１４】
オルガン本体上部ケース９は、合成樹脂などからなり、左右の腕木５、５間で左右方向に延びている。このオルガン本体上部ケース９は、図２（ａ）に示すように、斜め後ろ上がりに延び、スイッチ８ａなどを支持するスイッチ支持部９ａと、このスイッチ支持部９ａの上端から後方に若干延び、一段下がって更に後方に所定長さ延びる譜面受け９ｂと、この譜面受け９ｂの後端から斜め後ろ下がりに延び、鍵盤蓋４の開閉時に、その後端部を案内する蓋案内部９ｃとを有している。譜面受け９ｂは、ほぼ水平な載置部９ｄと、この載置部９ｄとスイッチ支持部９ａとの間に設けられ、上方に凸に形成された係止部９ｅとで構成されており、載置部９ｄに譜面Ｆが載置可能であり、係止部９ｅに譜面Ｆの下端部が係止可能である。また、この譜面受け９ｂは、オルガン本体上部ケース９の作製時に、一体に作り込まれるようにして形成される。
【００１５】
鍵盤蓋４は、ヒンジ１０を介して、互いに左右方向に延びる軸線回りに回動自在に連結され、主に演奏部２の鍵盤６を覆う前鍵盤蓋１１と、主に操作パネル７を覆う後鍵盤蓋１２とを有している。前鍵盤蓋１１は、平面形状が横長矩形状に形成されるとともに、所定の厚さを有する前鍵盤蓋本体１１ａと、この前鍵盤蓋本体１１ａの後ろ側縁部に、これに沿って組み付けられた取付アダプタ１１ｂとを有している。一方、後鍵盤蓋１２は、前鍵盤蓋本体１１ａと同様に、平面形状が横長矩形状で、前鍵盤蓋本体１１ａに対し、前後方向の寸法が短くかつ左右方向の寸法が同じに形成された後鍵盤蓋本体１２ａを有している。そして、この後鍵盤蓋本体１２ａの前側縁部の裏面に、外方に凸の取付部１２ｂが固定されている。そして、前鍵盤蓋１１の取付アダプタ１１ｂおよび後鍵盤蓋１２の取付部１２ｂにそれぞれ、ヒンジ１０がねじ止めされ、これにより、前鍵盤蓋１１および後鍵盤蓋１２が互いに回動自在に連結されている。
【００１６】
また、前鍵盤蓋１１の取付アダプタ１１ｂの左右両端部はそれぞれ、オルガン本体３の上部に、回動軸１３ａを中心に回動自在に取り付けられた左右一対のアーム１３、１３に支持されている。各アーム１３は、金属板などからなり、一部が腕木５とオルガン本体上部ケース９との隙間から外方に臨み、その部分が前鍵盤蓋１１の取付アダプタ１１ｂに固定されている。
【００１７】
このように構成された電子オルガン１では、鍵盤蓋４が閉鎖した状態のときには、図２（ａ）に示すように、前鍵盤蓋１１および後鍵盤蓋１２がほぼ一直線に前下がりに傾斜した状態となり、オルガン本体３の演奏部２を覆う。この閉鎖状態から、鍵盤蓋４を開放する場合には、前鍵盤蓋１１を持ち上げながら、これを後方に回動させる。これに伴い、後鍵盤蓋１２は、オルガン本体上部ケース９の上端部に形成された譜面受け９ｂ、および蓋案内部９ｃに摺接しながら後方に移動する。そして、アーム１３、１３が図示しないアームストッパに当接することにより、図２（ｂ）に示すように、前鍵盤蓋１１は、オルガン本体上部ケース９の蓋案内部９ｃの上方で、後方に若干倒れた状態で起立する。一方、後鍵盤蓋１２は、蓋案内部９ｃ上にこれに沿って、斜め後ろ下がりに傾斜した状態となる。
【００１８】
このように、鍵盤蓋４が開放した状態では、前鍵盤蓋１１が譜面立てとして利用可能となる。また、この前鍵盤蓋１１と、その前方の演奏部２との間に、譜面受け９ｂが位置することとなる。そして、これらの前鍵盤蓋（譜面立て）１１および譜面受け９ｂで構成される譜面台装置に、図２（ｂ）に示すように、譜面Ｆをセットすること、すなわち、譜面Ｆを譜面受け９ｂの載置部９ｄに載置し且つ譜面Ｆの下端部を係止部９ｅに係止した状態で、前鍵盤蓋１１に立て掛けることが可能となる。
【００１９】
以上詳述したように、本実施形態によれば、オルガン本体３の上部、すなわちオルガン本体上部ケース９に直接、譜面受け９ｂが形成されているので、従来と異なり、鍵盤蓋４に譜面受けを取り付ける必要がなく、その分、製造コストを低減することができるとともに、従来のような譜面受けによる操作パネルの損傷を確実に防止することができる。また、オルガン本体上部ケース９の作製時に、譜面受け９ｂを予め一体に作り込むことにより、譜面受けを比較的簡単に形成することができる。
【００２０】
なお、本発明は、説明した上記実施形態に限定されることなく、種々の態様で実施することができる。例えば、実施形態では、本発明を電子オルガンに適用した場合について説明したが、本発明はこれに限定されるものではなく、電子ピアノやシンセサイザーなどの電子鍵盤楽器にも適用可能である。また、実施形態で示した電子オルガン１の細部の構成などは、あくまで例示であり、本発明の趣旨の範囲内で適宜、変更することができる。
【００２１】
【発明の効果】
以上詳述したように、本発明の鍵盤楽器の譜面台装置は、製造コストを低減できるとともに、比較的簡単に作製することができるなどの効果を有する。
【図面の簡単な説明】
【図１】本発明の一実施形態による譜面台装置を適用した電子オルガンを示す斜視図であり、鍵盤蓋（前端部を一部省略）を開放した状態を示す。
【図２】図１の電子オルガンの上部を示す側断面図であり、（ａ）は鍵盤蓋を閉鎖した状態、（ｂ）は鍵盤蓋を開放した状態を示す。
【図３】従来の譜面台装置を適用した鍵盤楽器の上部を示す側断面図であり、（ａ）は鍵盤蓋を閉鎖した状態、（ｂ）は鍵盤蓋を開放した状態を示す。
【図４】図３の鍵盤楽器において、譜面台装置の譜面受けが操作パネルに干渉する状態を説明するための説明図である。
【符号の説明】
１　　　電子オルガン（鍵盤楽器）
２　　　演奏部
３　　　オルガン本体（楽器本体）
４　　　鍵盤蓋
６　　　鍵盤
９　　　オルガン本体上部ケース
９ａ　　スイッチ支持部
９ｂ　　譜面受け
９ｃ　　蓋案内部
９ｄ　　載置部
９ｅ　　係止部
１１　　前鍵盤蓋（譜面立て）
１２　　後鍵盤蓋
Ｆ　　　譜面
【図１】
2004037843.tif 000003
【図２】
2004037843.tif 000004
【図３】
2004037843.tif 000005
【図４】
2004037843.tif 000006